(57)【要約】【課題】  切断装置およびコンポーネント供給装置を全体として一体に成形する。【解決手段】  コンポーネント供給装置（１）は、テープリール(12)が取外可能に配置させられているテープリールホルダ（３）と、テープ供給・排出装置（５）とを備えている。コンポーネント供給装置は、さらに、シリンダ(16)内で往復動させられるピストン(18)によって移動させられうるナイフ(14)を備えている切断装置(9)を備えている。
2005528806.tif 000002
【特許請求の範囲】
【請求項１】
テープリールが取外可能に配置させられているテープリールホルダと、テープ供給・排出装置とを備えているコンポーネント供給装置において、切断装置がコンポーネント供給装置内に位置させられていることを特徴とするコンポーネント供給装置。
【請求項２】
切断装置が、シリンダ内で往復動させられるピストンによって移動させられうるナイフを備えていることを特徴とする請求項１に記載のコンポーネント供給装置。
【請求項３】
ピストン−シリンダ共同体が、ナイフの移動方向に対しある角度をもってのびており、伝動装置が、ピストン−シリンダ共同体およびナイフ間に位置させられていることを特徴とする請求項１または２に記載のコンポーネント供給装置。
【請求項４】
伝動装置が、要素を備えており、要素は、軸を中心として揺動可能であり、要素に、ナイフの一端およびピストン−シリンダ共同体の一端が、これらを、互いから離れた軸を中心として揺動させうるようにそれぞれ取付られていることを特徴とする請求項３に記載のコンポーネント供給装置。
【請求項５】
シリンダが、流体圧シリンダであることを特徴とする請求項１または２に記載のコンポーネント供給装置。
【発明の詳細な説明】
【技術分野】
【０００１】
この発明は、テープリールが取外可能に配置させられているテープリールホルダと、テープ供給・排出装置とを備えているコンポーネント供給装置に関する。
【背景技術】
【０００２】
特許文献１から既知である装置は、コンポーネント供給装置と、これの下方に位置させられかつ往復動しうるナイフを備えた切断装置とを備えている。
【０００３】
そのようなコンポーネント供給装置は、それ自体既知であるコンポーネント載置装置において使用される。コンポーネントは、例えば、キャリヤテープ内に位置させられ、これには、区画室およびこれを閉鎖しているカバーテープが備えられ、それにより、コンポーネントが閉鎖されている。リールに巻かれたテープは、テープリールホルダ内に置かれており、その上で、１つの区画室がコンポーネントピックアップ位置の上に位置させられるまでコンポーネント供給装置によってテープが割出される。これに先駆けて、カバーテープは、キャリヤテープから取り去られている。コンポーネントがテープからコンポーネント供給装置によって取り去られた後に、空のキャリヤテープは排出される。そのときに、キャリヤテープは、コンポーネント供給装置下方に位置させられた切断装置によって小さい断片に切断される。このことは、キャリヤテープが比較的小さいボリュームを占める断片に切断されるという観点では有利である。
【０００４】
しかしながら、上記特許文献１から既知である装置は、以下の課題を有しており、それは、切断装置およびコンポーネント供給装置が全体として一体に成形されていないということである。その結果、コンポーネント供給装置からのテープは、コンポーネント載置装置が切断装置を備えた位置で切断しうるだけである。
【特許文献１】ＥＰ−Ａ−０９１８４５３
【発明の開示】
【発明が解決しようとする課題】
【０００５】
この発明の目的は、既知のコンポーネント供給装置の課題を解決した装置を提供することにある。
【課題を解決するための手段】
【０００６】
この目的は、切断装置がコンポーネント供給装置内に位置させられている、この発明による装置によって達成される。
【０００７】
切断装置をコンポーネント供給装置内に一体化することは、コンポーネント供給装置によって供給される如何なるテープをも断片に切断することを可能とする。加えるに、如何なるコンポーネント載置装置も、こういう風に一体化された切断装置を備えたコンポーネント供給装置を備えられるであろう。コンポーネントを、どのようなコンポーネント載置装置によっても載置することが可能となり、そこでは、コンポーネントを取り去られたテープが細断される。
【０００８】
この発明による装置の具体例は、切断装置が、シリンダ内で往復動させられるピストンによって移動させられうるナイフを備えていることを特徴とするものである。
【０００９】
ナイフは、比較的シンプルにピストン−シリンダ共同体によって駆動されうる。さらに、そのようなピストン−シリンダ共同体は、比較的コンパクトな構造を有している。このコンパクトな構成は、比較的小さいコンポーネント供給装置において切断装置を提供することを可能とする。
【００１０】
この発明による装置のさらなる具体例は、ピストン−シリンダ共同体が、ナイフの移動方向に対しある角度をもってのびており、伝動装置が、ピストン−シリンダ共同体およびナイフ間に位置させられているものである。伝動装置は、ピストン−シリンダ共同体が、例えば、実質的に水平にのび、一方、ナイフが垂直方向に移動することを可能とする。この結果、切断装置は、比較的コンパクトとに構成されうる。
【００１１】
装置の選択的な１つの具体例は、シリンダが、流体圧シリンダであることである。
【００１２】
そのような装置の利点は、限られたスペースを占めるように流体圧シリンダがコンパクトに形成されていることである。
【発明を実施するための最良の形態】
【００１３】
この発明の実施の形態を図面を参照しながらつぎに説明する。
【００１４】
図１は、コンポーネント供給装置１を示しており、これは、フレーム２を備えている。テープリールホルダ３は、フレーム２の一方の側に固定され、その他方の側には、コンポーネント供給装置を、それ自体既知であるコンポーネント載置装置（図示しない）に取外可能に取付けるための締付具４が位置させられている。搬送ローラ６、７を含むテープ供給・排出装置５は、締付具４およびテープリールホルダ３間に位置させられている。コンポーネントピックアップ位置８が締付具４に隣接してフレーム２の上側に位置させられている。コンポーネント載置装置（図示しない）のピペット11がコンポーネントピックアップ位置８の上に描かれている。フレーム２に連結された切断装置９は、コンポーネント供給装置１のテープ供給・排出装置５の下方に位置させられている。さらに、くず箱10は、コンポーネント供給装置１の下方に置かれている。
【００１５】
テープ13を巻き付けた取外可能テープリール12は、テープリールホルダ３内にある。それ自体既知であるテープ13は、キャリヤテープを備えており、これには、区画室および区画室を閉鎖しているカバーテープが備えられている。コンポーネントは、区画室内に位置させられている。テープ13は、歯車（図示しない）によって搬送ローラ６、７上を搬送される。
【００１６】
切断装置９（図２参照）は、互いに反対向きの２つのナイフ14、15を備えている。ナイフ14は、矢印Ｐ1で示す方向およびその反対方向に移動しうる。ナイフ15は、固定状に位置させられている。切断装置９は、さらに、シリンダ16を備えており、その一端はヒンジ17によってフレーム２にピボットされている。ピストン18は、シリンダ16内に置かれかつ伝動装置のリンク19の一端に連結されている。リンク19は、ヒンジ20によってフレーム２に揺動自在に連結されている。リンク19は、第２リンク21に固定状に連結され、これは、ヒンジ20から遠い端部で移動可能ナイフ14に揺動自在に連結されている。
【００１７】
コンポーネント供給装置の作動が、今、より詳細に説明される。
【００１８】
テープ13は、テープリール12からテープ供給・排出装置５を通って搬送ローラ６によって搬送される。カバーテープは、テープからコンポーネントピックアップ位置８の手前で取去られかつ矢印Ｐ2で示す方向に排出される。このことは、キャリヤテープの区画室内でコンポーネントが自由となり、コンポーネントピックアップ位置８でピペット11によってコンポーネントがピックアップされうることを意味する。空のキャリヤテープ13は、さらに、搬送ローラ７上を切断装置９に向かって移動させられる。キャリヤテープ13は、切断装置９の可動ナイフ14および固定ナイフ15間を通過させられる。ピストン−シリンダの共同動作は、ピストン18を矢印Ｐ3で示す方向に移動させ、それで、伝動装置のリンク19、21は、揺動点20を中心に矢印Ｐ4で示す方向に揺動させられる。これにより、ナイフ14は、ナイフ15にそって矢印Ｐ１で示す方向に移動させられ、それでもって、ナイフの間にあるキャリヤテープ13が切断される。キャリヤテープの切断片は、くず箱10内に落下する。
【００１９】
ナイフ14の駆動は、ピストン−シリンダの組合せだけでなく、パワーアクチュエータ等と共同して、リニアモータ、電気駆動によって駆動することが可能であることは、あきらかである。
【図面の簡単な説明】
【００２０】
【図１】この発明によるコンポーネント供給装置の具体例の断面図である。
【図２】図１に示す切断装置の拡大図である。
【符号の説明】
【００２１】
１  コンポーネント供給装置
３  テープリールホルダ
５  テープ供給・排出装置
９  切断装置
12  テープリール
14、15  ナイフ
16  シリンダ
18  ピストン
【図１】
2005528806.tif 000003
【図２】
2005528806.tif 000004
【国際調査報告】
2005528806.tif 000005
2005528806.tif 000006